(57)【要約】【課題】被写体に取り付けられたＩＣタグから読み取った情報と被写体を撮影した画像との対応づけが可能な撮影装置を提供する。【解決手段】デジタルカメラ１０にはＩＣタグセンサ１２１が設けられており、１又は複数の物品３に取り付けられた１又は複数のＩＣタグ２から送信された無線信号を受信してこれを検知する。ＩＣタグリーダ１１３はＩＣタグセンサ１２１の受信した無線信号からＩＣタグ２に記録されているＩＣタグ情報を読み出してＣＰＵ１００に出力する。ＣＰＵ１００は画像ファイルのヘッダ部分にＩＣタグ情報を、データ部分に画像データを記憶することで、物品３を被写体とする画像と物品３に取り付けられたＩＣタグ２のＩＣタグ情報を対応させることができる。【選択図】  図１
2005348028.tif 000002
【特許請求の範囲】
【請求項１】
被写体に取り付けられたＩＣタグからの無線信号を受信する受信部と、
受信した各無線信号からＩＣタグに記録されたＩＣタグ情報を読み取る読取部と、
被写体を撮像する撮像部と、
ＩＣタグから読み取ったＩＣタグ情報と前記撮像部の撮像した画像とを対応づけて記憶する第１記憶部と、
を備える撮影装置。
【請求項２】
受信した各無線信号の強度を検出する強度検出部をさらに備え、
前記第１記憶部は各ＩＣタグから読み取ったＩＣタグ情報と各ＩＣタグからの無線信号の強度とを対応づけた強度情報を記憶する請求項１に記載の撮影装置。
【請求項３】
ＩＣタグからの無線信号の強度とＩＣタグまでの距離との対応を規定する強度距離対応情報を記憶する第２記憶部をさらに備える請求項２に記載の撮影装置。
【請求項４】
前記第１記憶部は前記強度距離対応情報に従い各ＩＣタグから読み取ったＩＣタグ情報と各ＩＣタグからの無線信号の強度に対応する距離とを対応づけた距離情報を記憶する請求項３に記載の撮影装置。
【請求項５】
前記撮像部の合焦する被写体である主要被写体までの距離を計測する測距部と、
前記主要被写体までの距離と前記強度距離対応情報と前記強度情報とに基づき、前記主要被写体のＩＣタグに記録されたＩＣタグ情報である主要ＩＣタグ情報を特定する特定部と、
をさらに備える請求項３又は４に記載の撮影装置。
【請求項６】
前記測距部は測距センサである請求項５に記載の撮影装置。
【請求項７】
前記測距部は撮像素子から出力された信号中の高周波成分に基づいて被写体像の鮮鋭度を示す焦点評価値を検出し、該焦点評価値が極大となるレンズの焦点距離に基づいて主要被写体までの距離を計測する請求項５に記載の撮影装置。
【請求項８】
前記主要被写体の位置を検出する位置検出部をさらに備え、
前記第１記憶部は前記主要ＩＣタグ情報と前記主要被写体の位置とを対応づけて記憶する請求項５〜７のいずれかに記載の撮影装置。
【請求項９】
前記第１記憶部は前記撮像部の撮像した画像を記録した画像ファイルである請求項１〜８のいずれかに記載の撮影装置。
【請求項１０】
前記画像ファイルのヘッダ部分にＩＣタグから読み取ったＩＣタグ情報を記憶する請求項９に記載の撮影装置。
【発明の詳細な説明】
【技術分野】
【０００１】
本発明は撮影装置に係り、特に被写体に取り付けられたＩＣタグの情報と撮影した被写体像との対応づけを行うことができる撮影装置に関する。
【背景技術】
【０００２】
近年、ＩＣタグと呼ばれるメモリ付き集積回路と無線通信用アンテナを内蔵した超小型の装置が開発されている。ＩＣタグは、荷札として各種の物品に取り付けることで、物品管理に利用される。例えば、特許文献１によると、プリンタ内蔵デジタルスチルカメラ（ＤＳＣ）に装填されるインスタントフィルムの中央に画像記録領域、一端に現像定着試薬が封入された封入部、他端に試薬受け部が形成され、ＤＳＣに内蔵されているプリンタは、画像記録領域に画像を記録して現像・定着させる。そして、記録した画像のデータの保存場所を表す情報、サムネイル画像データ及び撮影情報をＩＣタグに書き込む。即ち、記録材料に記録された画像とその画像データの保存場所などを関連づけることができる。
【特許文献１】特開２００４−７２１４６号公報
【発明の開示】
【発明が解決しようとする課題】
【０００３】
ところで、物品を被写体として撮影し、撮影した画像で物品を管理する方法も有効であるが、ＩＣタグを取り付けた物品を撮影する場合、ＩＣタグから読み取った情報と物品の画像とを合わせて管理する必要が生じる。ところが、特許文献１の技術は、記録材料に記録された画像と画像データの保存場所などの情報との対応づけを行うだけであり、ＩＣタグから読み取った情報と物品の画像との対応づけは行うことができない。本発明はこのような問題点に鑑みてなされたもので、被写体に取り付けられたＩＣタグから読み取った情報と被写体を撮影した画像との対応づけが可能な撮影装置を提供することを目的とする。
【課題を解決するための手段】
【０００４】
上述の課題を解決するため、請求項１に係る発明は、被写体に取り付けられたＩＣタグからの無線信号を受信する受信部と、受信した各無線信号からＩＣタグに記録されたＩＣタグ情報を読み取る読取部と、被写体を撮像する撮像部と、ＩＣタグから読み取ったＩＣタグ情報と前記撮像部の撮像した画像とを対応づけて記憶する第１記憶部と、を備える撮影装置を提供する。
【０００５】
この発明によると、物品を被写体とする画像と物品に取り付けられたＩＣタグに記録されたＩＣタグ情報を対応させることができる。
【０００６】
請求項２に係る発明は、受信した各無線信号の強度を検出する強度検出部をさらに備え、前記第１記憶部は各ＩＣタグから読み取ったＩＣタグ情報と各ＩＣタグからの無線信号の強度とを対応づけた強度情報を記憶する請求項１に記載の撮影装置を提供する。
【０００７】
この発明によると、ＩＣタグ情報と無線信号の強度とを対応させることができる。
【０００８】
請求項３に係る発明は、ＩＣタグからの無線信号の強度とＩＣタグまでの距離との対応を規定する強度距離対応情報を記憶する第２記憶部をさらに備える請求項２に記載の撮影装置を提供する。
【０００９】
請求項４に係る発明は、前記第１記憶部は前記強度距離対応情報に従い各ＩＣタグから読み取ったＩＣタグ情報と各ＩＣタグからの無線信号の強度に対応する距離とを対応づけた距離情報を記憶する請求項３に記載の撮影装置を提供する。
【００１０】
この発明によると、ＩＣタグ情報と物品までの距離とを対応させることができる。
【００１１】
請求項５に係る発明は、前記撮像部の合焦する被写体である主要被写体までの距離を計測する測距部と、前記主要被写体までの距離と前記強度距離対応情報と前記強度情報とに基づき、前記主要被写体のＩＣタグに記録されたＩＣタグ情報である主要ＩＣタグ情報を特定する特定部と、をさらに備える請求項３又は４に記載の撮影装置を提供する。
【００１２】
この発明によると、合焦した被写体のＩＣタグに記録されたＩＣタグ情報を特定できる。
【００１３】
請求項６に係る発明は、前記測距部は測距センサである請求項５に記載の撮影装置を提供する。
【００１４】
請求項７に係る発明は、前記測距部は撮像素子から出力された信号中の高周波成分に基づいて被写体像の鮮鋭度を示す焦点評価値を検出し、該焦点評価値が極大となるレンズの焦点距離に基づいて主要被写体までの距離を計測する請求項５に記載の撮影装置を提供する。
【００１５】
請求項８に係る発明は、前記主要被写体の位置を検出する位置検出部をさらに備え、前記第１記憶部は前記主要ＩＣタグ情報と前記主要被写体の位置とを対応づけて記憶する請求項５〜７のいずれかに記載の撮影装置を提供する。
【００１６】
この発明によると、主要被写体のＩＣタグに記録されたＩＣタグ情報と主要被写体の位置とを対応させることができる。
【００１７】
請求項９に係る発明は、前記第１記憶部は前記撮像部の撮像した画像を記録した画像ファイルである請求項１〜８のいずれかに記載の撮影装置を提供する。
【００１８】
請求項１０に係る発明は、前記画像ファイルのヘッダ部分にＩＣタグから読み取ったＩＣタグ情報を記憶する請求項９に記載の撮影装置を提供する。
【発明の効果】
【００１９】
この発明によると、物品を被写体とする画像と物品に取り付けられたＩＣタグに記録されたＩＣタグ情報を対応させることができる。
【発明を実施するための最良の形態】
【００２０】
以下、添付した図面を参照し本発明の好ましい実施の形態を説明する。
【００２１】
＜第１実施形態＞
［概略構成］
図１は、本発明の好ましい実施形態に係るデジタルカメラ１０の内部の概略構成を示すブロック図である。同図において、ＣＰＵ１００は、本カメラシステムの各回路を統括制御する制御部であり、ＲＯＭ１０２及びＲＡＭ１０４等の記憶手段を備えている。ＲＯＭ１０２には、ＣＰＵ１００が処理するプログラム及び制御に必要な各種データ等が格納され、ＲＡＭ１０４は、ＣＰＵ１００が各種の演算処理等を行う際の作業用エリアとして利用される。ＲＯＭ１０２はデータの消去／書き込みが可能なフラッシュＲＯＭで構成される。
【００２２】
ＣＰＵ１００は、レリーズボタン、電源ボタン、ストロボボタン、マクロボタン、ズームレバー、表示ボタン、ＢＡＣＫボタン、マークボタン、メニュー／ＯＫボタン、十字ボタン、モードスイッチ等からなる操作部１０６から出力された操作信号に基づき対応する回路の動作を制御し、レンズ駆動制御、撮影動作制御、画像処理制御、画像データの記録／再生制御、モニタ３０の表示制御などを行うとともに、自動露出（ＡＥ）演算、自動焦点調節（ＡＦ）演算、ホワイトバランス（ＷＢ）調整演算などの各種演算処理を実行する。
【００２３】
レンズ１４を通過した光は、ＣＣＤイメージセンサ（ＣＣＤ）１０８に入射する。ＣＣＤ１０８の受光面には、フォトセンサが平面的に配列されており、レンズ１４を介してＣＣＤ１０８の受光面に結像された被写体の光学像は、各フォトセンサによって入射光量に応じた量の信号電荷に変換される。各フォトセンサに蓄積された信号電荷は、図示しないタイミングジェネレータから与えられる駆動パルスに基づいて信号電荷に応じた電圧信号（画像信号）として順次読み出され、アナログ信号処理部１１０に送られる。
【００２４】
アナログ信号処理部１１０は、サンプリングホールド回路、色分離回路、ゲイン調整回路、Ａ／Ｄ変換器等の信号処理回路を含み、このアナログ信号処理部１１０で入力された画像信号が、相関二重サンプリング処理並びにＲ、Ｇ、Ｂの各色信号に色分離処理され、各色信号の信号レベルの調整（プリホワイトバランス処理）が行われる。そして、デジタルの画像信号に変換されてＲＡＭ１０４に格納される。
【００２５】
ＲＡＭ１０４に格納された画像信号は、画像信号処理部１１２に送られる。画像信号処理部１１２は、輝度・色差信号生成回路、ガンマ補正回路、シャープネス補正回路、コントラスト補正回路、ホワイトバランス補正回路等を含むデジタルシグナルプロセッサ（ＤＳＰ）で構成され、ＣＰＵ１００からのコマンドに従って入力された画像信号を処理する。この画像信号処理部１１２に入力された画像信号は、輝度信号（Ｙ信号）及び色差信号（Ｃr,Ｃb 信号）に変換されるとともに、ガンマ補正等の所定の処理が施された後、ＲＡＭ１０４に格納される。ＲＡＭ１０４に格納された画像データは、表示部１１４に入力される。表示部１１４は入力された画像データを表示用の所定方式の信号（例えば、ＮＴＳＣ方式のカラー複合映像信号）に変換してモニタ３０に出力する。
【００２６】
ＣＣＤ１０８から出力される画像信号によってＲＡＭ１０４内の画像データが定期的に書き換えられ、その画像データから生成される映像信号がモニタ３０に供給されることにより、ＣＣＤ１０８を介して入力される画像がリアルタイムにモニタ３０に表示される。撮影者は、このモニタ３０に映し出される画像（スルー画像）によって撮影画角を確認することができる。
【００２７】
なお、表示部１１４は、ＯＳＤ信号発生回路を含み、ＯＳＤ信号発生回路はＣＰＵ１００からのコマンドに従ってシャッタ速度や絞り値、撮影可能枚数、撮影日時、警告メッセージ、オートフォーカスフレーム（ＡＦ）等の文字及び記号情報を表示するための信号を発生させる。このＯＳＤ信号発生回路から出力される信号は、必要に応じて画像信号に混合されて、モニタ３０に供給される。これにより、スルー画像や再生画像に文字等が合成された合成画像が表示される。
【００２８】
モードスイッチにてカメラのモードが撮影モードに設定されると、デジタルカメラ１０は撮影が可能になる。この状態でレリーズボタンが半押しされると、ＣＰＵ１００にＳ１ＯＮ信号が発せられる。ＣＰＵ１００は、このＳ１ＯＮ信号を検知して、ＡＥ、ＡＦ動作を実行する。すなわち、ＣＰＵ１００は、被写体にピントが合うように、図示しないレンズ駆動部を制御するとともに、被写体の明るさを測定し、適正露出となるように絞り値とシャッタ速度を決定する。
【００２９】
この後、レリーズボタンが全押しされると、ＣＰＵ１００にＳ２ＯＮ信号が発せられ、ＣＰＵ１００は、このＳ２ＯＮ信号を検知して、記録動作を実行する。すなわち、レリーズボタンの半押し時に決定した絞り値、シャッタ速度となるように、図示しない絞り駆動部及びＣＣＤ１０８の電子シャッタを制御し、画像の取り込みを行なう。
【００３０】
こうしてレリーズボタンの全押し操作に応動して、記録用の画像データの取り込みが開始され、ＣＣＤ１０８から出力された１コマ分の画像信号が、アナログ信号処理部１１０を介してＲＡＭ１０４に取り込まれる。ＲＡＭ１０４に取り込まれた画像信号は、画像信号処理部１１２で所定の信号処理が施された後、再びＲＡＭ１０４に格納され、画像記録部１１６に送られる。
【００３１】
画像記録部１１６は、圧縮伸張処理回路を含み、圧縮伸張処理回路はＣＰＵ１００からのコマンドに従って入力された画像データをＪＰＥＧその他の所定の形式に従って圧縮する。圧縮された画像データは、メディアインターフェース（メディアＩ／Ｆ）１１８を介して所定フォーマットの画像ファイル（例えばＥｘｉｆ（Exchangeable Image File Format）形式の画像ファイル）として記録メディア１２０に記録される。なお、記録メディア１２０としては、ｘＤピクチャーカード、スマートメディア、コンパクトフラッシュ、磁気ディスク、光ディスク、光磁気ディスク、メモリスティックなどのカメラボディに対して着脱可能なリムーバブルメディアの他、カメラボディに内蔵された記録メディア（内部メモリ）であってもよい。
【００３２】
モードスイッチにて再生モードが選択されると、記録メディア１２０に記録された画像の再生が可能になる。モードスイッチが再生モードに設定されると、記録メディア１２０に最後に記録された画像ファイルの画像データを読み出す。読み出された画像データは、画像記録部１１６にて所要の伸張処理が施されたのち、表示部１１４を介してモニタ３０に出力される。これにより、記録メディア１２０に記録された画像の閲覧が可能になる。
【００３３】
画像のコマ送りは、十字ボタンで行なわれ、十字ボタンの右キーが押されると、次の画像ファイルが記録メディア１２０から読み出され、モニタ３０に再生表示される。また、十字ボタンの左キーが押されると、前の画像ファイルが記録メディア１２０から読み出され、モニタ３０に再生表示される。
【００３４】
また、デジタルカメラ１０は、ホスト機器へのＵＳＢ接続をトリガとして、その動作モードを通信モードに移行する。通信モードとしては、パーソナルコンピュータ（ＰＣ）に接続されて、ＰＣからリムーバブルディスク（マスストレージデバイス）として認識させる「ＰＣモード」と、プリンタに接続されて、プリンタに対して記録メディア１２０に記録されている画像をプリントさせる「ダイレクトプリントモード」とを備えている。通信制御部１２２は、設定された通信モードの下で所定のコマンド形式に従ったデータの送受信を行なう。
【００３５】
デジタルカメラ１０のカメラボディにはレンズ１４の前方に指向性を有するアンテナを備えたＩＣタグセンサ１２１が設けられており、１又は複数の物品３に取り付けられた１又は複数のＩＣタグ２（図１では一例として３つのＩＣタグ２ａ〜２ｃ）から送信された無線信号を受信してこれを検知する。ＩＣタグセンサ１２１がレンズ１４後方のＩＣタグ２からの無線信号を受信しないように、ＩＣタグセンサ１２１のレンズ１４後方側に電磁シールドフィルムなどを貼付してもよい。ＲＳＳＩ回路１２３は、ＩＣタグセンサ１２１の受信した無線信号の強度を検出してＣＰＵ１００に出力する。ＩＣタグリーダ１１３はＩＣタグセンサ１２１の受信した無線信号からＩＣタグ２に記録されている情報（以下ＩＣタグ情報という）を読み出してＣＰＵ１００に出力する。測距部１２４はピントを合わせた被写体までの距離を測定する手段であり、例えば、ＣＣＤ１０８から出力された信号中の高周波成分に基づいて被写体像の鮮鋭度を示すＡＦ評価値（焦点評価値）を検出し、この焦点評価値が極大となるようにレンズの合焦位置を設定した際のレンズ位置から被写体像までの距離を算出する手段である。あるいは、ピントを合わせた被写体に光を発して被写体に反射して戻ってきた光を受光し、発光部と受光部のなす角から被写体までの距離を検出する三角測距センサなどであってもよい。
【００３６】
［デジタルカメラの実行する処理］
以下、図２のフローチャートに基づき、デジタルカメラ１０の実行する撮影処理の流れを説明する。この処理はデジタルカメラ１０の被写体となる物品３に取り付けられたＩＣタグ２のＩＣタグ情報を、物品３を撮影した画像ファイルのヘッダ部分に記憶する。この処理は、ＩＣタグセンサ１２１がＩＣタグ２ａ〜２ｃの無線信号を検出したときに開始する。
【００３７】
Ｓ１では、ＲＳＳＩ回路１２３はＩＣタグ２ａ〜２ｃから送信された無線信号の強度を検出してＣＰＵ１００に出力する。Ｓ２では、ＩＣタグリーダ１１３がＩＣタグ２の無線信号からＩＣタグ情報を読み取る。Ｓ３では、ＣＰＵ１００は、Ｓ１で検出した強度とＳ２で各ＩＣタグ２から読み取ったＩＣタグ情報とを対応づけた強度情報をＲＡＭ１０４に記憶する。図３（ａ）は強度情報の一例を示す。この図に示すように、強度情報では、３つの物品３ａ〜３ｃにそれぞれ取り付けられているＩＣタグ２ａ〜２ｃから読み取ったＩＣタグ情報である情報１〜３と、情報１〜３を読み取った無線信号の強度とが対応している。即ち、画像中の物品３の遠近と強度情報に含まれる強度の強弱を比較することで、被写体となった物品３とＩＣタグ情報との対応が分かる。
【００３８】
Ｓ４では、操作部１０６のシャッターボタンの半押し操作を検知し、この検知に応じてオートフォーカスフレームＡＦの囲む撮影位置の被写体（即ち物品３）にフォーカスロック（焦点のロック、合焦）する。以下、フォーカスロックされた物品３を主要被写体と表すこともある。図４はフォーカスロックされた際のスルー画像及びオートフォーカスフレームＡＦの表示例を示している。この図では、オートフォーカスフレームＡＦが被写体３ａに位置する状態で半押し操作され、物品３ａに合焦されている。なお、オートフォーカスフレームＡＦのモニタ３０上の表示位置はモニタ３０の中心であってもよいし、十字ボタンで上下左右にスクロールさせることで任意の位置（例えば図４のようにモニタ３０の中心よりもやや左に移動した位置）に移動できるようにしてもよい。そして、この後でシャッターボタンを半押しすることで、移動したオートフォーカスフレームＡＦの示す撮影位置の被写体にフォーカスロックしてもよい。以下、合焦後のオートフォーカスフレームＡＦの示す撮影位置を主要被写体位置という。
【００３９】
図４では主要被写体位置の一例として、モニタ３０の左下隅を原点Ｏとするモニタ３０上のＸＹ平面におけるフォーカスロックしたオートフォーカスフレームＡＦの中心の位置（Ｘ０，Ｙ０）を示している。即ち、主要被写体位置により合焦された物品３の位置が分かる。なお、ＯＳＤ信号発生回路により、ＩＣタグ２が検出されたこと及び検出されたＩＣタグが送信する無線信号の強度を示すマーカーをモニタ３０に表示してもよい。図４では３つのＩＣタグ２ａ〜２ｃが送信する無線信号の強度を示すマーカーＭＫ１〜ＭＫ３がモニタ３０に表示されている。
【００４０】
Ｓ５では、測距部１２４は主要被写体までの距離を算出する。例えば、図４のように物品３ａにフォーカスロックした場合は物品３ａまでの距離を算出する。Ｓ６では、シャッターボタン全押し検知に応じて記録用の画像データの取り込みが開始される。記録用の画像データは所定フォーマットの画像ファイルのデータ部分に記録される。Ｓ７では、ＣＰＵ１００は、ＲＡＭ１０４の強度情報を画像ファイルのヘッダ部分に記憶する。一例として、画像ファイルがヘッダ部分にタグを有するＥｘｉｆ形式の画像ファイルの場合、所定のタグ（UserCommentタグなど）に強度情報を記憶すればよい。
【００４１】
Ｓ８では、ＣＰＵ１００は、主要被写体までの距離に対応する無線信号の強度をＲＯＭ１０２に記憶された強度距離対応情報に基づいて特定する。図３（ｂ）は強度距離対応情報の一例である。強度距離情報は測距部１２４からＩＣタグ２までの距離とＩＣタグ２の送信する無線信号の強度との対応を規定している。図３（ｂ）では一例として、強度「強」には距離「０〜５０ｃｍ（０ｃｍ以上５０ｃｍ未満）」、強度「中」には距離「５０〜１００ｃｍ（５０ｃｍ以上１００ｃｍ未満）」、強度「弱」には距離「１００ｃｍ〜∞（１００ｃｍ以上）」が対応しているが、強度距離対応情報による距離と強度との対応の規定の仕方は上記に限定されず、距離と強度とが比例関係などで対応した数式などであってもよい。次に、ＣＰＵ１００は、上記特定した無線信号の強度に対応するＩＣタグ情報を強度情報から特定することで、主要被写体に取り付けられたＩＣタグ２に記録されたＩＣタグ情報である主要被写体ＩＣタグ情報を特定する。そして、ＣＰＵ１００は、主要被写体ＩＣタグ情報と主要被写体位置とを対応づけた主要被写体情報を画像ファイルのヘッダ部分に記憶する。図３（ｃ）は主要被写体情報の一例である。この図では、合焦された物品３ａの被写体位置（Ｘ０，Ｙ０）と物品３ａに取り付けられたタグ２ａから読み取られた情報１（即ち主要被写体ＩＣタグ情報）とが対応している。主要被写体情報と画像を比較すれば、画像中の合焦した物品３の位置とその物品３のＩＣタグ情報の関係が分かる。
【００４２】
＜第２実施形態＞
本発明はＣＣＤ１０８などの撮像素子を備えない銀塩カメラにも適用可能である。例えば、第１実施形態と同様、銀塩カメラにＩＣタグセンサ１２１、ＩＣタグリーダ１１３、ＣＰＵ１００、ＲＯＭ１０２、ＲＡＭ１０４、操作部１０６を設け、操作部１０６のシャッターボタン全押し操作で銀塩フィルムに画像を記録する一方、その画像のコマ番号とＩＣタグ情報とを対応させた情報を磁気フィルムや半導体記録装置などに記録することで、コマ番号を介して撮影画像とＩＣタグから読み取ったＩＣタグ情報とを対応づけることができる。銀塩カメラにさらにＲＳＳＩ回路１２３を設けてＩＣタグ２からの無線信号の強度を検出し、検出した強度をコマ番号にさらに対応させて記録することもできる。あるいは、銀塩カメラに三角測距センサなどの測距部１２４をさらに設けて合焦した主要被写体までの距離を測定し、ＲＯＭ１０２に記憶させた強度距離対応情報と測定した距離とＩＣタグ２からの無線信号の強度とに基づいて主要被写体に取り付けられたＩＣタグ２に記録されたＩＣタグ情報を特定することもできる。
【００４３】
＜その他の実施形態＞
（１）第１実施形態のように、デジタルカメラ１０にＲＳＳＩ回路１２３や測距部１２４を設けず、またＲＯＭ１０２に強度距離対応情報を記憶させず、画像ファイルのヘッダ部分にＩＣタグ情報を、データ部分に画像データを記憶することで、物品３を被写体とする画像と物品３に取り付けられたＩＣタグ２のＩＣタグ情報を対応させることができる。
【００４４】
（２）強度情報を画像ファイルに記録する代わりに、強度情報に含まれる強度と強度距離対応情報に含まれる強度とを介して定まるＩＣタグ情報と距離との対応を距離情報として画像ファイルに記録してもよい。図３（ｄ）は距離情報の一例である。距離情報ではＩＣタグ情報と物品３の距離とが対応しているため、画像に写った複数の物品３がどのＩＣタグ情報と対応しているかを物品３の距離から判断できる。また、測距部１２４で合焦した物品３の距離を計測し、距離情報と計測した距離とを比較することで、主要被写体に対応するＩＣタグ情報を特定できる。
【００４５】
（３）上述の強度情報、距離情報、主要被写体情報を文字データとして画像データと合成し、画像ファイルのデータ部分に記憶させてもよい。
【図面の簡単な説明】
【００４６】
【図１】本発明の好ましい実施形態に係るデジタルカメラのブロック構成図
【図２】第１実施形態に係るデジタルカメラの実行する処理の流れを示すフローチャート
【図３】強度情報、強度距離対応情報、主要被写体情報及び距離情報の概念説明図
【図４】ＩＣタグの取り付けられた物品を被写体とするスルー画像の一例を示す図
【符号の説明】
【００４７】
１０：デジタルカメラ、１２１：ＩＣタグセンサ、１１３：ＩＣタグリーダ、１２３：ＲＳＳＩ回路、１２４：測距部
【図１】
2005348028.tif 000003
【図２】
2005348028.tif 000004
【図３】
2005348028.tif 000005
【図４】
2005348028.tif 000006